(57)【特許請求の範囲】
【請求項１】
正面に映像を表示する表示ユニットと、該表示ユニットを背面側から覆う覆い体とを備え、前記表示ユニットの背面に、前記覆い体に開設された窓穴を介して外部に露出する凸部が設けてある表示装置において、
前記凸部及び窓穴の近傍に設けてあり、前記覆い体と前記表示ユニットとの対向部にて相互に嵌合する嵌合部を備え、
該嵌合部は、
前記覆い体に設けられた嵌合凹部と、
前記表示ユニットに設けられ、前記嵌合凹部に嵌合する嵌合凸部と
を備え、
前記嵌合凹部は、対向する２つのリブを有し、
前記２つのリブの厚みは、前記覆い体の縁部に向かって薄くなっていること
を特徴とする表示装置。
【請求項２】
正面に映像を表示する表示ユニットと、該表示ユニットを背面側から覆う覆い体とを備え、前記表示ユニットの背面に、前記覆い体に開設された窓穴を介して外部に露出する凸部が設けてある表示装置において、
前記覆い体と前記表示ユニットとの対向部にて相互に嵌合する複数の嵌合部を備え、
該複数の嵌合部の少なくとも１つは、前記凸部及び窓穴の近傍に設けてあり、
前記複数の嵌合部夫々は、
前記覆い体に設けられた嵌合凹部と、
前記表示ユニットに設けられ、前記嵌合凹部に嵌合する嵌合凸部と
を備え、
前記嵌合凹部は、対向する２つのリブを有し、
前記２つのリブの厚みは、前記覆い体の縁部に向かって薄くなっていること
を特徴とする表示装置。
【請求項３】
前記嵌合凹部はＵ字形をなし、
前記嵌合凸部は、Ｕ字の平行辺に当接する縁部を有する板状をなすことを特徴とする請求項１又は請求項２に記載の表示装置。
【請求項４】
前記嵌合凹部は矩形枠状をなし、
前記嵌合凸部は、矩形の平行辺に当接する縁部を有する板状をなす請求項１又は請求項２に記載の表示装置。
【請求項５】
前記嵌合凹部は矩形枠状をなし、
前記嵌合凸部は、矩形の各辺に当接する縁部を有する十字形をなす請求項１又は請求項２に記載の表示装置。
【請求項６】
前記凸部は、表示装置を操作するための操作部を固定する固定座であることを特徴とする請求項１から請求項５のいずれか１つに記載の表示装置。
【請求項７】
請求項１から請求項６のいずれか１つに記載の表示装置と、
テレビジョン放送を受信する受信部とを備え、
前記受信部で受信したテレビジョン放送に基づいて前記表示ユニットで映像を表示するようにしてあること
を特徴とするテレビジョン受信機。
【発明の詳細な説明】
【技術分野】
【０００１】
本発明は、リアキャビネットを備える表示装置及びテレビジョン受信機に関する。
【背景技術】
【０００２】
表示画面の大きさに比べて室内の占有面積が小さい薄型の表示装置は、限られた室内空間を有効に利用することができることから、一般に広く普及している。この種の表示装置の一つとして、液晶パネルを表示パネルとして備える液晶表示装置がある。液晶表示装置は、正面に映像を表示する液晶パネルと、該液晶パネルの背面に光を照射するバックライトと、液晶パネルの周縁部を正面側から覆うフロントキャビネットとを一体に組み付けてなる表示ユニットを、リアキャビネット（覆い体）で背面から覆うことで構成されている。
【０００３】
例えば特許文献１には、リアキャビネットに設けられた２つのＬ字状の保持リブと、フロントキャビネットに設けられたＵ字状の嵌合リブとを、嵌め合わすことでフロントキャビネット及びリアキャビネットを固定する固定構造が記載されている。
【先行技術文献】
【特許文献】
【０００４】
【特許文献１】特開平１−２６５５９６号公報
【発明の概要】
【発明が解決しようとする課題】
【０００５】
ところで、表示装置には、各種の操作を行わせるための操作部を設ける必要がある。この種の操作部は、一般的には、バックライトの正面に配置し、フロントキャビネットに設けた窓穴から外部に露出させるが、近年においては、フロントキャビネットによる表示面の周縁部を覆うフロントキャビネットの縁幅を狭くした狭額縁化が進められており、この種の表示装置においては、フロントキャビネットの限られた縁幅内に操作部の配置スペースを確保することが難しくなっている。
【０００６】
この問題に対応するために狭額縁化された表示装置においては、表示ユニットの背面に凸部（固定座）を設け、該凸部に固定した操作部をリアキャビネットの背面に設けた窓穴から外部に露出させる取付け構造が採用されている。
【０００７】
しかしながら、この取付け構造を採用した場合、表示ユニットと覆い体（リアキャビネット）との組み付けに際し、表示ユニット側の凸部と覆い体側の窓穴とを平面的に整合させる位置決めが必要である。この位置決めは、特に、大判の表示ユニットを備える表示装置においては、多大の手間を要するが、位置決めが不十分な状態で組み付けがなされた場合、窓穴の周縁部が凸部に乗り上げて操作部に接触し、該操作部が損傷する虞れがある。
【０００８】
以上の取付け構造は、外部機器との接続のための入出力端子を設けた端子部においても採用されており、これらの端子部においても同様の問題が生じる。
【０００９】
本発明は斯かる事情に鑑みてなされたものであり、凸部と窓穴との位置決めを必要とする表示ユニットと覆い体との組み付けを容易に行わせることができる表示装置等を提供することを目的とする。
【課題を解決するための手段】
【００１０】
本発明に係る表示装置は、正面に映像を表示する表示ユニットと、該表示ユニットを背面側から覆う覆い体とを備え、前記表示ユニットの背面に、前記覆い体に開設された窓穴を介して外部に露出する凸部が設けてある表示装置において、前記凸部及び窓穴の近傍に設けてあり、前記覆い体と前記表示ユニットとの対向部にて相互に嵌合する嵌合部を備え、該嵌合部は、前記覆い体に設けられた嵌合凹部と、前記表示ユニットに設けられ、前記嵌合凹部に嵌合する嵌合凸部とを備え、前記嵌合凹部は、対向する２つのリブを有し、前記２つのリブの厚みは、前記覆い体の縁部に向かって薄くなっていることを特徴とする。
【００１１】
本発明に係る表示装置は、正面に映像を表示する表示ユニットと、該表示ユニットを背面側から覆う覆い体とを備え、前記表示ユニットの背面に、前記覆い体に開設された窓穴を介して外部に露出する凸部が設けてある表示装置において、前記覆い体と前記表示ユニットとの対向部にて相互に嵌合する複数の嵌合部を備え、該複数の嵌合部の少なくとも１つは、前記凸部及び窓穴の近傍に設けてあり、前記複数の嵌合部夫々は、前記覆い体に設けられた嵌合凹部と、前記表示ユニットに設けられ、前記嵌合凹部に嵌合する嵌合凸部とを備え、前記嵌合凹部は、対向する２つのリブを有し、前記２つのリブの厚みは、前記覆い体の縁部に向かって薄くなっていることを特徴とする。
【００１２】
本発明に係る表示装置は、前記嵌合凹部はＵ字形をなし、前記嵌合凸部は、Ｕ字の平行辺に当接する縁部を有する板状をなすことを特徴とする。
【００１３】
本発明に係る表示装置は、前記嵌合凹部は矩形枠状をなし、前記嵌合凸部は、矩形の平行辺に当接する縁部を有する板状をなすことを特徴とする。
【００１４】
本発明に係る表示装置は、前記嵌合凹部は矩形枠状をなし、前記嵌合凸部は、矩形の各辺に当接する縁部を有する十字形をなすことを特徴とする。
【００１５】
本発明に係る表示装置は、前記凸部は、表示装置を操作するための操作部を固定する固定座であることを特徴とする。
【００１６】
本発明に係るテレビジョン受信機は、前述の表示装置と、テレビジョン放送を受信する受信部とを備え、前記受信部で受信したテレビジョン放送に基づいて前記表示ユニットで映像を表示するようにしてあることを特徴とする。
【発明の効果】
【００１７】
本発明によれば、表示ユニットと覆い体との組み付けを容易に行わせることができる。
【図面の簡単な説明】
【００１８】
【図１】表示装置の外観を略示する正面側斜視図である。
【図２】表示装置の要部構成を示す分解斜視図である。
【図３】表示装置の背面の左縁部を示す背面側斜視図である。
【図４】ミドルキャビネットに固定されたバックライトシャーシの左縁部を示す背面図である。
【図５】リアキャビネットの左縁部を示す正面図である。
【図６】リアキャビネットの正面図である。
【図７】表示装置の左縁部を示す概念図であり、操作部周辺を示している。
【図８】表示装置の左縁部を示す概念図であり、操作部周辺を示している。
【図９】表示装置の左縁部を示す概念図であり、操作部周辺を示している。
【発明を実施するための形態】
【００１９】
実施の形態１
以下、本発明をその実施の形態を示す図面に基づいて詳述する。以下の説明では各図中上に矢印で示す上下、左右を表す。
【００２０】
図１は表示装置１の外観を略示する正面側斜視図である。図２は表示装置１の要部構成を示す分解斜視図である。表示装置１は、表示ユニット２と、表示ユニット２の背面を覆うリアキャビネット（覆い体）３とを備える。
【００２１】
さらに図示の表示装置１は、受信部２９０及び信号処理部２９１を備えるテレビジョン受信機として構成されている。受信部２９０は、図示しないアンテナに接続され、該アンテナを介してテレビジョン放送を受信する。信号処理部２９１は、受信部２９０が受信したテレビジョン放送に係るデータを復調し、復調したデータから映像データを分離し、分離した映像データを出力する。表示ユニット２は、信号処理部２９１が出力した映像データに基づく映像を表示する。
【００２２】
表示ユニット２はフロントキャビネット２０、液晶パネル２１、光学シート２２、パネルシャーシ２３、導光板２４、バックライトシャーシ２７及びミドルキャビネット２８を備える。
【００２３】
液晶パネル２１は、矩形板状をなし、一面（正面）に画像を表示する矩形状の表示面に有する。フロントキャビネット２０は、液晶パネル２１と同程度の大きさに形成された金属製の矩形枠体である。以下の説明においては、液晶パネル２１の表示面の側を正面側、他側を背面側とする。
【００２４】
光学シート２２は、拡散シート、ＢＥＦ（Brightness Enhance Film ）シート及び偏光シート等を積層して構成されている。
【００２５】
パネルシャーシ２３は、液晶パネル２１と同程度の大きさに形成された樹脂製の矩形枠体である。
【００２６】
導光板２４は、例えば、ＰＭＭＡ（アクリル樹脂）、ポリカーボネート樹脂等の透光性を有する樹脂材料製の平板であり、液晶パネル２１と同程度の大きさに形成されている。
【００２７】
バックライトシャーシ２７は、液晶パネル２１よりも若干大きく、パネルシャーシ２３と同程度の大きさに形成された金属製の箱体である。バックライトシャーシ２７の正面の下端に、放熱板２６の背面が貼付され、バックライトシャーシ２７は放熱板２６を背面側から保持する。
【００２８】
ミドルキャビネット２８は、バックライトシャーシ２７と同程度の大きさに形成された樹脂製の矩形枠体であり、バックライトシャーシ２７の周縁に当接する。
【００２９】
表示ユニット２は、一側端面に設けられた光源部２５及び光源部２５の正面側から光源部２５の正面に貼付された放熱板２６をさらに備える。光源部２５は、矩形板状の基板の一面に複数の光源２５ａが実装された光源基板である。光源２５ａは、例えば発光ダイオード（ＬＥＤ：Light Emitting Diode）であり、図２に示すように、長手方向に沿って基板上に並置されて設けられる。光源部２５は光源２５ａの実装面を上向きとしてバックライトシャーシ２７に固定されている。
【００３０】
放熱板２６はバックライトシャーシ２７の下縁に沿って固定されている。放熱板２６は熱容量が大きく、高熱伝導率を有するアルミニウム等の金属製の平板であり、光源部２５の発光により生じる熱を当接面から拡散することで光源部２５を冷却している。
【００３１】
表示ユニット２は、フロントキャビネット２０、液晶パネル２１、光学シート２２、パネルシャーシ２３、導光板２４、光源部２５及び放熱板２６を固定したバックライトシャーシ２７、ミドルキャビネット２８をこの順に重ね、複数箇所をビス等にて締結して構成されている。
【００３２】
このような構成により、液晶パネル２１に正面側から当接するフロントキャビネット２０、ミドルキャビネット２８及びパネルシャーシ２３によって、液晶パネル２１及び導光板２４の周縁が挟持される。
【００３３】
表示装置１は表示ユニット２の背面側にリアキャビネット３を取り付けて構成される。リアキャビネット３は、バックライトシャーシ２７と同程度の大きさを有する矩形の浅皿状に形成された樹脂製であり、ミドルキャビネット２８の背面側からバックライトシャーシ２７及びミドルキャビネット２８を覆う。上述した構成により、本実施形態の表示装置１では、光源部２５の各光源２５ａから照射された光が導光板２４を通過し、均一な平面光として液晶パネル２１に照射される。
【００３４】
次に、より詳しくは複数個所をビス等で固定した表示ユニット２及びリアキャビネット３の連結構造について説明する。図３は表示装置１の背面の左縁部を示す背面側斜視図である。図４はミドルキャビネット２８に固定されたバックライトシャーシ２７の左縁部を示す背面図である。図３及び図４に示すようにバックライトシャーシ２７は左縁部から右側に離隔した位置に固定座（凸部）２７０と、固定座２７０の背面側に固定した操作部２７１とを備える。固定座２７０は操作部２７１を固定するための台座である。操作部２７１は平面視矩形状をなし、上下方向に並ぶ複数のボタン２７２を備える。各ボタン２７２は電源のオン／オフ、音量の切替又は番組の切替等を行うためのボタンである。
【００３５】
ミドルキャビネット２８は左端から右側に離隔した位置に背面側へ立設された位置決めリブ（嵌合凸部）２８１を備える。位置決めリブ２８１は平面視、上下方向に長い矩形状をなす。位置決めリブ２８１の上下方向の断面形状は台形状をなす。なお、位置決めリブ２８１の形状はこれに限られない。例えば、位置決めリブ２８１は平面視楕円状又は三角形状であってもよい。位置決めリブ２８１は上側の縁部２８２及び下側の縁部２８３を備える。
【００３６】
図５はリアキャビネット３の左縁部を示す正面図である。リアキャビネット３は左縁部から右側に離隔した位置に設けられた窓穴３１と、窓穴３１の左縁部とリアキャビネット３の左縁部との間に三方をリブで囲まれた嵌合凹部３２とを備える。具体的には嵌合凹部３２は窓穴３１の左上の角部とリアキャビネット３の左縁部との間に設けられている。窓穴３１は平面視矩形状をなし、操作部２７１に対応する。すなわち、嵌合凹部３２は固定座２７０及び窓穴３１の近傍に設けてある。嵌合凹部３２は上部に設けられた上リブ３３と、下部に設けられた下リブ３４と、上リブ３３及び下リブ３４の右端を接続する接続リブ３５とでリアキャビネット３の左縁部に向けて解放された平面視Ｕ字状をなす。上リブ３３、下リブ３４は先端に向けて厚みが薄くなっている。上リブ３３、下リブ３４の左右方向の断面形状は三角形状をなす。接続リブ３５の上下方向の断面形状は矩形状をなす。嵌合凹部３２は位置決めリブ２８１に対応する。
【００３７】
図６はリアキャビネット３の正面図である。嵌合凹部３２はリアキャビネット３の縁部に複数個所設けられている。大型の表示装置１においてはリアキャビネット３の肉厚を薄くすると、正背面方向の圧力に弱いという問題がある。このため、嵌合凹部３２はリアキャビネット３を補強するために設けられた補強材としての役割も有しており、後述する表示ユニット２との組み付け時にミドルキャビネット２８の背面に当接することでリアキャビネット３の縁部を正背面方向に支持し、リアキャビネット３の縁部の変形を防止している。
【００３８】
図７は表示装置１の左縁部を示す概念図であり、操作部２７１周辺を示している。以下にバックライトシャーシ２７、ミドルキャビネット２８及びリアキャビネット３の連結方法を説明する。バックライトシャーシ２７はミドルキャビネット２８に各部をネジで連結する。次にミドルキャビネット２８は、操作部２７１を窓穴３１の位置に合わせ、位置決めリブ２８１を嵌合凹部３２に当接し、位置決めリブ２８１は台形状をなしているため、位置決めリブ２８１を正規の位置に案内し、位置決めリブ２８１の縁部２８２及び２８３を上リブ３３及び下リブ３４の側面に当接させることで係止し、操作部２７１を窓穴３１に嵌め入れ、リアキャビネット３をネジで固定することで連結する。すなわち表示装置１はリアキャビネット３と表示ユニット２との対向部にて相互に嵌合し、嵌合凹部３２及び位置決めリブ２８１で構成される嵌合部を備える。
【００３９】
本実施形態によれば、嵌合部を嵌め合わせることで表示ユニット２とリアキャビネット３との組み付けを容易に行わせることができる。
【００４０】
本実施形態によれば、位置決めリブ２８１は縁部２８２及び２８３を嵌合凹部３２のＵ字の平行辺の内面に当接することでリアキャビネット３の上下方向の移動を規制するため、窓穴３１の縁が操作部２７１に乗り上げることを防止できる。また位置決めリブ２８１は台形状をなしているため、位置決めリブ２８１が位置決めリブ２８１を正規の位置に案内することで表示ユニット２とリアキャビネット３との組み付けを容易に行わせることができる。
【００４１】
本実施形態によれば、嵌合凹部３２がＵ字状をなすことにより、容易に一体成型できるため、製造コストを削減できる。
【００４２】
なお、本実施形態では嵌合凹部３２をミドルキャビネット２８に設け、位置決めリブ２８１をリアキャビネット３に設けたが、嵌合凹部３２をリアキャビネット３に設け、位置決めリブ２８１をミドルキャビネット２８に設けてもよい。
【００４３】
また、本実施形態において操作部２７１を固定した固定座２７０を説明したが、これに限られるものではない。例えば、固定座２７０は外部の機器と接続するための入出力端子等を固定してもよい。
【００４４】
実施の形態２
図８は表示装置１の左縁部を示す概念図であり、操作部２７１周辺を示している。以下、特に説明する構成、作用以外の構成及び作用は実施の形態１と同等であり、簡潔のため記載を省略する。嵌合凹部３２は上リブ３３、下リブ３４の先端部分を接続する接続リブ３６を備える。位置決めリブ２８１は平面視、左右方向に長い矩形状をなす。位置決めリブ２８１は左側の縁部２８２及び右側の縁部２８３を備える。位置決めリブ２８１は接続リブ３５及び３６に当接されている。すなわち、位置決めリブ２８１は縁部を嵌合凹部３２の矩形の平行辺に当接することでリアキャビネット３の上下左右方向の移動を規制する。
【００４５】
本実施形態によれば、リアキャビネット３は位置決めリブ２８１は縁部２８２及び２８３を嵌合凹部３２の矩形の平行辺の内面に当接することで左右方向の移動も規制されるため、さらに窓穴３１の縁が操作部２７１に乗り上げることを防止できる。
【００４６】
実施の形態３
図９は表示装置１の左縁部を示す概念図であり、操作部２７１周辺を示している。以下、特に説明する構成、作用以外の構成及び作用は実施の形態２と同等であり、簡潔のため記載を省略する。位置決めリブ２８１は平面視十字をなしている。位置決めリブ２８１は上側の縁部２８２と、下側の縁部２８３と、左側の縁部２８４と、右側の縁部２８５とを備える。位置決めリブ２８１の上下左右の縁部２８２、２８３、２８４及び２８５は嵌合凹部３２の内面に当接している。すなわち、位置決めリブ２８１は縁部２８２、２８３、２８４及び２８５を嵌合凹部３２の矩形の各辺の内面に当接することでリアキャビネット３の上下方向の移動を規制する。
【００４７】
本実施形態によれば、位置決めリブ２８１が平面視十字をなしていることで射出成型する場合、正面から注入する圧力が面に対して均一になる。このため、射出成型の圧力が一点に集中し難くなるため、凹凸がリアキャビネット３の裏側に生成されることを防止できる。このことにより、見栄えが悪い表示装置１の製造を避けることができる。
【００４８】
本発明に係る表示装置１は、正面に映像を表示する表示ユニット２と、該表示ユニット２を背面側から覆う覆い体３とを備え、前記表示ユニット２の背面に、前記覆い体３に開設された窓穴３１を介して外部に露出する凸部２７０が設けてある表示装置１において、前記凸部２７０及び窓穴３１の近傍に設けてあり、前記覆い体３と前記表示ユニット２との対向部にて相互に嵌合する嵌合部を備えることを特徴とする。
【００４９】
本実施形態によれば、嵌合部を嵌め合わせることで表示ユニット２とリアキャビネット３との組み付けを容易に行わせることができる。
【００５０】
本発明に係る表示装置１は、前記嵌合部は、前記覆い体３又は表示ユニット２の一方に設けられた嵌合凹部と、他方に設けられ、前記嵌合凹部に嵌合する嵌合凸部とを備えることを特徴とする。
【００５１】
本実施形態によれば、位置決めリブ２８１は縁部２８２及び２８３を嵌合凹部３２のＵ字の平行辺の内面に当接することでリアキャビネット３の上下方向の移動を規制するため、窓穴３１の縁が操作部２７１に乗り上げることを防止できる。
【００５２】
本発明に係る表示装置１は、前記嵌合凹部３２はＵ字形をなし、前記嵌合凸部２８１は、Ｕ字の平行辺に当接する縁部２８２、２８３を有する板状をなすことを特徴とする。
【００５３】
本実施形態によれば、嵌合凹部３２がＵ字状をなすことにより、容易に一体成型できるため、製造コストを削減できる。
【００５４】
本発明に係る表示装置１は、前記嵌合凹部３２は矩形枠状をなし、前記嵌合凸部２８１は、矩形の平行辺に当接する縁部２８２、２８３を有する板状をなすことを特徴とする。
【００５５】
本実施形態によれば、リアキャビネット３は位置決めリブ２８１は縁部２８２及び２８３を嵌合凹部３２の矩形の平行辺の内面に当接することで左右方向の移動も規制されるため、さらに窓穴３１の縁が操作部２７１に乗り上げることを防止できる。
【００５６】
本発明に係る表示装置１は、前記嵌合凹部３２は矩形枠状をなし、前記嵌合凸部２８１は、矩形の各辺に当接する縁部２８２、２８３、２８４、２８５を有する十字形をなすことを特徴とする。
【００５７】
本実施形態によれば、位置決めリブ２８１が平面視十字をなしていることで射出成型する場合、正面から注入する圧力が面に対して均一になる。このため、射出成型の圧力が一点に集中し難くなるため、凹凸がリアキャビネット３の裏側に生成されることを防止できる。このことにより、見栄えが悪い表示装置１の製造を避けることができる。
【００５８】
本発明に係る表示装置は、前記凸部２７０は、表示装置１を操作するための操作部２７１を固定する固定座２７０であることを特徴とする。
【００５９】
本実施形態によれば、操作部２７１に窓穴の縁が乗り上げないため、操作部２７１の損傷を防ぐことができる。
【００６０】
本発明に係るテレビジョン受信機は、前述の表示装置１と、テレビジョン放送を受信する受信部２９０とを備え、前記受信部２９０で受信したテレビジョン放送に基づいて前記表示ユニット２で映像を表示するようにしてあることを特徴とする。
【００６１】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６２】
１  表示装置
２  表示ユニット
２７０  固定座（凸部）
２７１  操作部
２８１  位置決めリブ（嵌合凸部）
２８２  縁部
２８３  縁部
２８４  縁部
２８５  縁部
３  リアキャビネット（覆い体）
３１  窓穴
３２  嵌合凹部
２９０  受信部
【図１】
0006557508.tif 000002
【図２】
0006557508.tif 000003
【図３】
0006557508.tif 000004
【図４】
0006557508.tif 000005
【図５】
0006557508.tif 000006
【図６】
0006557508.tif 000007
【図７】
0006557508.tif 000008
【図８】
0006557508.tif 000009
【図９】
0006557508.tif 000010